(57)【要約】【課題】取り扱い説明書を読まなくても目的に対応した操作方法を知ることができるリモコン装置を提供すること。【解決手段】本発明のリモコン装置は、ドットマトリックス表示部１０と、操作スイッチ部１１と、被制御機器１２を遠隔操作する通信部１３を備え、ドットマトリックス表示部１０に被制御機器１２の機能設定および起動を行なう複数の設定、起動画面を表示し、表示している画面に対応した機能の設定、起動を操作スイッチ部１１で行なうメニュー表示手段と、ドットマトリックス表示部１０にリモコンの操作方法、被制御機器の機能等を体系的に整理して表示するマニュアル表示手段を搭載したことにより、やりたい操作方法を容易に知ることができ、わざわざ取り扱い説明書を見る必要がなくなる。【選択図】図１
2009210230.tif 000002
【特許請求の範囲】
【請求項１】
ドットマトリックス表示部と、操作スイッチ部と、被制御機器を遠隔操作する通信部を備え、前記ドットマトリックス表示部に前期被制御機器の機能設定および起動を行なう複数の設定、起動画面を表示し、表示している画面に対応した機能の設定、起動を前記操作スイッチ部で行なうメニュー表示手段と、前記ドットマトリックス表示部にリモコンの操作方法、被制御機器の機能等を体系的に整理して表示するマニュアル表示手段を搭載したリモコン装置。
【請求項２】
メニュー表示手段は複数の画面を階層状に構成し、操作スイッチ部の画面操作スイッチにより選択された画面をマトリックス表示器に表示させるとともに、マニュアル表示手段はメニュー表示手段の第１階層の画面に被制御機器の機能設定に対応した選択リストとともに、マニュアル機能を選択リストとして表示させ、前記画面操作スイッチによりマニュアル機能が選択された場合、マニュアル機能の下層画面を前記画面操作スイッチの操作に従って順次前記マトリックス表示器に表示させるようにした請求項１に記載のリモコン装置。
【請求項３】
マニュアル表示手段はマニュアル画面に対応している操作画面に直接遷移する遷移手段を設けた請求項１、請求項２に記載のリモコン装置。
【請求項４】
説明等の固有表示内容と選択肢リストを有するマニュアル画面は前記固有表示内容を上部に、前記選択肢リストを下部に配置し、画面操作スイッチのダウンスイッチ操作により画面表示を上にスクロールさせるとともに、前記選択肢リストがすべて表示された状態または前記固有表示内容が表示されていない状態になったら前記選択肢リストの選択されている項目を示す選択ポインタを下にずらし、画面操作スイッチのアップスイッチ操作により前記選択肢リストがすべて表示された状態または前記固有表示内容が表示されていない状態で前記選択ポインタが最上位の選択肢になっていない場合は選択ポインタを上にずらし、前記選択ポインタが最上位の選択肢になったら画面表示を下にスクロールさせるよう構成した請求項１〜３項に記載のリモコン装置。
【請求項５】
最も選択される可能性の高い選択肢を最上位に配置した請求項４項に記載のリモコン装置。
【請求項６】
対応している操作画面に直接遷移する遷移手段をマニュアル画面の選択肢として割り付けた請求項３〜５項に記載のリモコン装置。
【請求項７】
マニュアル機能関係画面を機能毎に分類し階層状に構成した請求項３〜６項に記載のリモコン装置。
【発明の詳細な説明】
【技術分野】
【０００１】
本発明はドットマトリックス表示部を有し、給湯器等の被制御機器を遠隔操作するリモコン装置に関するものである。
【背景技術】
【０００２】
従来、この種のリモコン装置は多機能を実現するためにドットマトリックス表示部を用いてメニュー方式で多くの機能の設定を行なうようになっている。また、リモコンの表示部は一般的に狭く、表示能力も低いため、複雑な操作方法をより解りやすくするため音声で操作方法を案内するようにしている。（例えば、特許文献１参照）。また、ドットマトリックス表示部を用いて文字で動作等を案内しているものもあるが、操作に対する動作等を都度表示するものである（例えば、特許文献２参照）。
【０００３】
図４は、特許文献１に記載された従来のリモコン装置を示すものである。図４に示すように、リモコン１と、被制御機器２と、表示部４と、操作手段５と、音声記憶手段７と、音声制御手段８と、音声報知手段９から構成され、図５に示すようにメニューに従って操作する毎に次の操作方法を音声で案内するようになっている。
【特許文献１】特開２００６−２０３４９２号公報
【特許文献２】特開２００２−１９１０８０号公報
【発明の開示】
【発明が解決しようとする課題】
【０００４】
しかしながら、前記従来の構成では次の操作しか案内しないので、操作方法を忘れた場合の助けにはなるものの、操作方法の概要を把握するためには取り扱い説明書を読むか、メニュー項目名等から目的とする操作を想像していろいろな操作を試してみなければならないという課題を有していた。
【０００５】
本発明は、前記従来の課題を解決するもので、リモコンのドットマトリックス表示部に取り扱い説明書に相当する情報を表示し、取り扱い説明書を読まなくても目的に対応した操作方法を知ることができるリモコン装置を提供することを目的とする。
【課題を解決するための手段】
【０００６】
前記従来の課題を解決するために、本発明のリモコン装置は、ドットマトリックス表示部と、操作スイッチ部と、被制御機器を遠隔操作する通信部を備え、前記ドットマトリックス表示部に前記被制御機器の機能設定および起動を行なう複数の設定、起動画面を表示し、表示している画面に対応した機能の設定、起動を前記操作スイッチ部で行なうメニュー表示手段と、前記ドットマトリックス表示部にリモコンの操作方法、被制御機器の機能等を体系的に整理して表示するマニュアル表示手段を搭載したことにより、やりたい操作方法を容易に知ることができ、わざわざ取り扱い説明書を見る必要がなくなる。
【発明の効果】
【０００７】
本発明のリモコン装置は、はじめから取り扱い説明書を見る事なしに多機能になった機器のリモコン操作を行なうことができる。
【発明を実施するための最良の形態】
【０００８】
第１の発明はドットマトリックス表示部と、操作スイッチ部と、被制御機器を遠隔操作する通信部を備え、前記ドットマトリックス表示部に前期被制御機器の機能設定および起動を行なう複数の設定、起動画面を表示し、表示している画面に対応した機能の設定、起
動を前記操作スイッチ部で行なうメニュー表示手段と、前記ドットマトリックス表示部にリモコンの操作方法、被制御機器の機能等を体系的に整理して表示するマニュアル表示手段を搭載したことにより、リモコンの表示部に体系的に整理して表示される操作方法を操作者が見ることにより、従来予め取り扱い説明書で機能や操作方法の概略を把握するか、試行錯誤でメニューを開いて色々な操作を試してみることが不要となり、手軽に機器の機能をフルに使いこなすことができる。
【０００９】
第２の発明は、特に、第１の発明のメニュー表示手段を複数の画面を階層状に構成し、操作スイッチ部の画面操作スイッチにより選択された画面をマトリックス表示器に表示させるとともに、マニュアル表示手段をメニュー表示手段の第１階層の画面に被制御機器の機能設定に対応した選択リストとともに、マニュアル機能を選択リストとして表示させ、前記画面操作スイッチによりマニュアル機能が選択された場合、マニュアル機能の下層画面を前記画面操作スイッチの操作に従って順次前記マトリックス表示器に表示させるようにしたことにより、メニュー表示手段で使用する画面操作スイッチをマニュアル表示手段でも共用して使用することができるので、スイッチ構成を変えることなくマニュアル表示手段を組み込むことができる。
【００１０】
第３の発明は、特に、第１、第２の発明のマニュアル表示手段のマニュアル画面に対応している操作画面に直接遷移する遷移手段を設けたことにより、調べている操作方法のマニュアル画面から直接対応した操作画面を開くことができるので、操作性を大幅に向上させることができる。
【００１１】
第４の発明は、特に、第１〜第３の発明のマニュアル表示手段のマニュアル画面は前記固有表示内容を上部に、前記選択肢リストを下部に配置し、画面操作スイッチのダウンスイッチ操作により画面表示を上にスクロールさせるとともに、前記選択肢リストがすべて表示された状態または前記固有表示内容が表示されていない状態になったら前記選択肢リストの選択されている項目を示す選択ポインタを下にずらし、画面操作スイッチのアップスイッチ操作により前記選択肢リストがすべて表示された状態または前記固有表示内容が表示されていない状態で前記選択ポインタが最上位の選択肢になっていない場合は選択ポインタを上にずらし、前記選択ポインタが最上位の選択肢になったら画面表示を下にスクロールさせるよう構成したことにより、狭い表示エリアを有効に使って固有の表示内容及び選択リストを表示することができ、さらに選択リストにより画面操作スイッチのみの操作でマニュアル表示手段のマニュアル画面間のみならず対応した設定画面等への遷移や、直接機能を起動したり、設定することも容易に実現することができる。
【００１２】
第５の発明は、特に、第４の発明の選択肢を最も選択される可能性の高いものを最上位に配置したことにより、最も可能性の高い操作については固有の表示を確認して１操作で次の操作ができるので操作手数をすくなくすることができ、操作性を向上することができる。
【００１３】
第６の発明は、特に、第３〜第５の発明の遷移手段をマニュアル画面の選択肢として割り付けたことにより、スイッチを増やすことなく遷移手段を実現できる。また、マニュアル画面の選択肢を使って対応している操作画面へ遷移させるので操作方法に一貫性をもたせることができ解り易くすることができる。
【００１４】
第７の発明は、特に、第３〜第６の発明のマニュアル機能関係画面を機能毎に分類し階層状に構成したことにより、使用者はどのような機能があるか容易に把握することができ、使用したい機能毎に対応した操作方法、機能の内容を調べることができる。
【００１５】
以下、本発明の実施の形態について、図面を参照しながら説明する。なお、この実施の
形態によって本発明が限定されるものではない。
【００１６】
（実施の形態１）
本発明の実施例について、以下図面を参照しながら説明する。
【００１７】
図１は本発明の第１の実施の形態におけるリモコン装置の機能ブロック図、図２は本発明の第１の実施の形態におけるリモコン装置の外観図、図３は本発明の第１の実施の形態における画面遷移図を示すものである。
【００１８】
図１において、文章や図形を表示可能なドットマトリックス表示部１０と、メニュースイッチ、アップスイッチ、ダウンスイッチ、確定スイッチ等の画面操作スイッチ、被制御機器１２の機能を直接ＯＮ/ＯＦＦする機能スイッチ等より構成された操作スイッチ部１１と、操作スイッチ部１１の情報をもとに被制御機器１２を遠隔操作し、被制御機器１２の状態をドットマトリックス表示部１０に送る通信部１３より構成され、さらにドットマトリックス表示部１０に被制御機器１２の機能設定および起動を行なう複数の設定、起動画面を表示し、表示している画面に対応した機能の設定、起動を操作スイッチ部１１で行なうメニュー表示手段１４と、ドットマトリックス表示部１０にリモコン１５の操作方法、被制御機器１２の機能等を体系的に整理して表示するマニュアル表示手段１６により構成されている。
【００１９】
図２において、ドットマトリックス表示部１０、操作スイッチ部１１、リモコン１５は図１と同じ構成要素で共通の番号を付している。操作スイッチ部１１は画面操作スイッチであるメニュースイッチ１７、ダウンスイッチ１８、アップスイッチ１９、確定スイッチ２０と機能スイッチであるお湯増しスイッチ２１、お知らせ湯量スイッチ２２より構成されている。
【００２０】
図３においてメニュー表示手段１４の制御による画面遷移２３、マニュアル表示手段１６の制御による画面遷移２４を示している。
【００２１】
まずメニュー表示手段１４はメニュースイッチ１７が操作されるとメイン画面２５とメニュー画面２６を切替える。メニュー画面２６でダウンスイッチ１８、アップスイッチ１９を操作するとカーソル枠が上下に移動し、選択肢を選ぶことができる。メニュー画面２６で「沸き上げ設定」、「リモコン設定」の選択肢を選んだ状態で確定スイッチ２０を操作すると２階層目の沸き上げ設定画面２７、リモコン設定画面２８に遷移する。
【００２２】
沸き上げ設定画面２７で「１日に沸かす湯量」を選択し確定スイッチ２０を操作すると３階層目の１日に沸かす湯量画面２９へ遷移する。また、リモコン設定画面２８で「音声案内」を選択し確定スイッチ２０を操作すると３階層目の音声案内画面３０に遷移する。
【００２３】
３階層目の１日に沸かす湯量画面２９、音声案内３０でメニュースイッチ１７が操作されると２階層目の沸き上げ設定画面２７、リモコン設定画面２８に戻り、さらにメニュースイッチ１７が操作されると１階層目のメニュー画面２６に戻るようになっている。
【００２４】
図３では省略しているが３階層目の１日に沸かす湯量画面２９、音声案内３０で各選択肢を選んで確定スイッチ２０を操作すると選択した設定値が確定し、画面はメイン画面２５にもどるようになっている。
【００２５】
また、２階層目の画面について沸き上げ設定画面の選択肢「沸き上げ休止」、リモコン設定の選択肢「案内音量」「お知らせ機能」が選択された場合の画面遷移については省略する。
【００２６】
次にメニュー画面２６の選択肢として割り付けられている「取り扱い説明」を選択して確定スイッチ２０を操作するとマニュアル表示手段１６の制御による画面遷移２４の１階層目の取り扱い説明画面３１に遷移する。取り扱い説明画面３１でメニュースイッチ１７が操作されるとメニュー画面２６に戻るようになっている。
【００２７】
取り扱い説明画面３１では機能毎の説明が選択肢としてリストアップされている。代表としてここでは「沸上機能説明」が選択された場合を説明する。「沸上機能説明」が選択された状態で確定スイッチ２０が操作されると２階層目の沸上機能説明画面３２に遷移する。
【００２８】
沸上機能説明画面３２には沸上機能に関連した項目の説明リストが選択肢として割り付けられている。「沸上概要説明」を選択して確定スイッチ２０を操作すると３階層目の沸上概要説明画面３３に遷移する。沸上概要説明画面３３には沸上機能の概要が表示され、画面右下にダウン表示が表示されている場合はダウンスイッチ１８で画面表示を上にスクロールし、下の表示を見ることができる。画面右上にアップ表示が表示されている時はアップスイッチ１９により画面表示を下にスクロールし、上の表示内容を見ることができる。
【００２９】
また、「沸上湯量説明」を選択して確定スイッチ２０を操作すると３階層目の沸上湯量説明画面３４に遷移し、沸上湯量設定に関する説明を見ることができる。ダウンスイッチ１８、アップスイッチ１９で画面表示をスクロールできるのは沸上概要説明画面３３と同様であるが、具体的な操作方法に関連した説明をしている沸上湯量説明画面３４には説明の下に沸上湯量説明画面(選択肢表示)３５が付いていて、「湯量設定画面へ」を選択して確定スイッチ２０を操作すると１日に沸かす湯量画面(沸上湯量設定画面)へ遷移し、説明で確認した操作を直接行なうことができる。
【００３０】
沸上概要説明画面３３、沸上湯量説明画面３４(選択肢を表示していない画面)の場合は確定スイッチ２０を操作することでメイン画面２５に戻るようになっている。また、３階層目の沸上概要説明画面３３、沸上湯量説明画面３４、沸上湯量説明画面(選択肢表示)３５でメニュースイッチ１７を操作すると２階層目の沸上機能説明画面３２へ、さらにメニュースイッチ１７を操作すると１階層目の取り扱い説明画面３１に戻るようになっている。
【００３１】
図３では省略されているが、取り扱い説明画面３１、沸上機能説明画面３２の他の選択肢を選んだ場合も同様の考え方で画面遷移をし、対応した説明画面が表示される。
【００３２】
以上のように、本実施の形態においてはメニュー画面２６の選択肢として割り付けた「取り扱い説明」を選択することで機能別に整理された説明をドットマトリックス表示部１０に表示させとすることにより、リモコンで機能概要や操作方法を確認できるようになり、取扱説明書なしに複雑な機能のリモコンを容易に操作できる。
【００３３】
また、本実施の形態では、メニュー画面２６に選択肢として割り付けた「取り扱い説明」を割り付けたことにより、特別にスイッチを設ける必要がなく、容易にマニュアル機能を実現できる。
【００３４】
また、本実施の形態ではマニュアル表示手段１６の画面遷移制御をメニュー表示手段１４と共通の考え方で制御することにより、操作方法が共通化され画面操作を非常に解り易くすることができる。
【００３５】
また、本実施の形態では沸上湯量説明画面３４のように具体的な操作方法の説明を行なっている画面には沸上湯量説明画面(選択肢表示)３５のように関係した設定画面に直接遷移する手段を設けることにより、説明で確認して対応した設定画面に直接遷移することにより、操作性が非常に向上する。
【００３６】
また、本実施の形態では沸上湯量説明画面(選択肢表示)３５のように、最も選ばれる可能性の高い対応した画面への遷移を上の選択肢に割り付けることにより、１操作で対応した設定画面に遷移させることにより、さらに操作性を向上させることができる。
【産業上の利用可能性】
【００３７】
本発明にかかるリモコン装置は、給湯機を例にとって説明したが、これに限定されることはなく、その他、リモコン装置を有する機器であれば適用することができる。
【図面の簡単な説明】
【００３８】
【図１】本発明の実施の形態１におけるリモコン装置の機能ブロック図
【図２】本発明の実施の形態１におけるリモコン装置の外観図
【図３】本発明の実施の形態１におけるリモコン装置の画面遷移図
【図４】従来のリモコン装置の機能ブロック図
【図５】従来のリモコン装置の動作説明図
【符号の説明】
【００３９】
１０  ドットマトリックス表示部
１１  操作スイッチ部
１２  被制御機器
１３  通信部
１４  メニュー表示手段
１５  リモコン
１６  マニュアル表示手段
１７  メニュースイッチ
１８  ダウンスイッチ
１９  アップスイッチ
２０  確定スイッチ
２１  お湯増しスイッチ
２２  お知らせ湯量スイッチ
【図１】
2009210230.tif 000003
【図２】
2009210230.tif 000004
【図３】
2009210230.tif 000005
【図４】
2009210230.tif 000006
【図５】
2009210230.tif 000007